(57)【要約】【課題】簡易な構成により所望の光を照射できるようにする。【解決手段】自動取引装置１の紙幣取扱部５に組み込まれる鑑別部１３の各光学センサユニット２７は、発光部３２の発光素子モジュール４５において、平面状の発光素子取付領域４３Ａに可視光発光素子群５４及び紫外光発光素子５６をそれぞれ実装した。その上で発光素子モジュール４５は、可視光発光素子群５４及び紫外光発光素子５６の間に障壁体６５を設け、それぞれを封止する第１樹脂６１及び第２樹脂６２をこの障壁体６５により分離した。このため発光素子モジュール４５が組み込まれた光学センサユニット２７は、紫外光発光素子５６から可視光発光素子群５４へ向かう紫外光の大部分を障壁体６５によって遮断若しくは吸収でき、励起光の発光を抑制して蛍光画像の品質を高めることができる。【選択図】図８
2018156362.tif 000002
【特許請求の範囲】
【請求項１】
平板状の取付部を有する基板と、
前記基板の前記取付部に取り付けられ、紫外光を発光する紫外光発光素子と、
前記基板の前記取付部に取り付けられ、可視光又は赤外光を発光する１個以上の赤外可視光発光素子と、
前記紫外光と、前記可視光又は前記赤外光とを導光して線状に出射させる導光体と、
１個以上の前記赤外可視光発光素子を覆う第１樹脂と、
前記紫外光発光素子を覆う第２樹脂と、
前記第１樹脂及び前記第２樹脂を分離させる分離部と
を具えることを特徴とする線状光源。
【請求項２】
前記第１樹脂及び前記第２樹脂は、前記赤外可視光発光素子及び前記紫外光発光素子をそれぞれ覆う形状で硬化され、
前記分離部は、硬化前の前記第１樹脂及び流動性の前記第２樹脂のうち少なくとも一方を堰き止める
ことを特徴とする請求項１に記載の線状光源。
【請求項３】
前記分離部は、前記紫外光発光素子から出射される前記紫外光を遮断する
ことを特徴とする請求項１に記載の線状光源。
【請求項４】
前記分離部は、前記基板の前記取付部に取り付けられ、少なくとも前記紫外光発光素子と前記赤外可視光発光素子との間に、前記紫外光又は前記可視光若しくは前記赤外光を反射する反射面を有するリフレクタである
ことを特徴とする請求項１に記載の線状光源。
【請求項５】
前記分離部は、複数の凹形状が配置された凹形状領域部である
ことを特徴とする請求項１に記載の線状光源。
【請求項６】
前記凹形状は、凹角錐である
ことを特徴とする請求項５に記載の線状光源。
【請求項７】
前記凹形状領域部は、前記分離部の表面に沿った所定方向及びこれと交差する方向のうち少なくとも一方向に沿って、複数の前記凹形状がそれぞれ等間隔に配置されている
ことを特徴とする請求項５に記載の線状光源。
【請求項８】
前記凹形状領域部は、前記第１樹脂又は前記第２樹脂が流動性を有する状態で塗布されてから流れる方向と交差する交差方向に沿って前記凹形状が周期的に配置された凹形状列が複数形成され、且つ複数の凹形状列の間で前記凹形状どうしが互いに交差方向にずれて配置されている
ことを特徴とする請求項５に記載の線状光源。
【請求項９】
前記凹形状領域部は、前記基板の前記取付部に取り付けられて少なくとも前記紫外光発光素子と前記赤外可視光発光素子との間に前記紫外光又は前記可視光若しくは前記赤外光を反射する反射面を有するリフレクタにおける、前記取付部に対して前記反射面よりも離れた箇所に設けられている
ことを特徴とする請求項５に記載の線状光源。
【請求項１０】
請求項１乃至請求項９の何れかに記載の線状光源と、
前記線状光源から所定の媒体に照射された光を受光して撮像する受光部と
を具えることを特徴とする光学センサユニット。
【請求項１１】
使用者との間で媒体を受け渡す入出部と、
前記入出部により前記使用者から受け取った前記媒体を、請求項１０に記載の光学センサユニットにより撮像して画像を生成し、該画像を用いて前記媒体を鑑別する鑑別部と
を具えることを特徴とする自動取引装置。
【発明の詳細な説明】
【技術分野】
【０００１】
本発明は線状光源、光学センサユニット及び自動取引装置に関し、例えば紙幣のような紙葉状の媒体を投入して所望の取引を行う自動取引装置（ＡＴＭ：Automatic Teller Machine）等に適用して好適なものである。
【背景技術】
【０００２】
従来、金融機関等で使用される自動取引装置は、現金自動預払機とも呼ばれ、顧客との取引内容に応じて、例えば顧客に紙幣や硬貨等の現金を入金させる入金取引や、顧客へ現金を出金する出金取引等の各種取引を行うようになっている。この現金自動預払機には、例えばキャッシュカードを取り扱うカード処理装置や、紙幣を取り扱う紙幣入出金機等が組み込まれている。
【０００３】
この紙幣入出金機には、紙幣を搬送する搬送部や、入金された紙幣の金種、真偽、或いは損傷の程度等を鑑別する鑑別部が組み込まれている。この鑑別部には、搬送される紙幣の紙面に光を照射して撮像し画像を生成する光学センサユニット等が設けられている。さらに光学センサユニットは、紙幣の搬送方向と直交する幅方向に沿って線状に光を照射する線状光源や、この線状光源と平行に配置された線状のイメージセンサ等が設けられている。鑑別部やこれを制御する制御部では、複数種類のセンサユニットからそれぞれ得られた検出結果や画像等を総合的に判断することにより、各紙幣の金種や真偽等を適切に鑑別することができる。
【０００４】
ところで紙幣には、偽造対策として蛍光インクが用いられ、紫外線が照射された場合に特殊な反射光（蛍光）を発生させるものがある。そこで線状光源のなかには、可視光を発光する可視光発光素子に加えて、紫外光を発光する紫外光発光素子が設けられ、可視光及び紫外光を切り替えて発光することにより、複数種類の画像を生成し、これらを真偽等の判断に供するものがある。
【０００５】
この線状光源では、例えばＬＥＤ（Light Emitting Diode）でなる可視光発光素子及び紫外光発光素子を互いに近接配置し、可視光及び紫外光で共通の導光体を使用することにより、部品点数を抑えながら紙幣の各部分に一様な光量の光を照射することができる。しかしながら、この線状光源を有する光学センサユニットでは、紫外光により紙幣を撮像して蛍光画像を生成するときに、紫外光発光素子から紫外光の一部が可視光発光素子に入射されると、励起による可視光が発生して紙幣に照射され、蛍光画像のコントラストを低下させる恐れがあった。
【０００６】
そこで線状光源として、光学素子を取り付ける基板において可視光発光素子の取付箇所と紫外光発光素子の取付箇所との間に段差を形成し、両取付箇所の間に紫外光を遮光するフィルタを配置することにより、励起による可視光の発生を防ぐものが提案されている（例えば、特許文献１参照）。
【先行技術文献】
【特許文献】
【０００７】
【特許文献１】特開２０１５−２０７１５４号公報（図２）
【発明の概要】
【発明が解決しようとする課題】
【０００８】
しかしながら、かかる構成の線状光源では、一般に平板状である基板に段差を形成することにより、工数の増加やコストの上昇を招き、また段差部分における配線の敷設が困難となり、さらには基板の歪みを抑制する必要が生じる、といった問題があった。
【０００９】
本発明は以上の点を考慮してなされたもので、簡易な構成により所望の光を照射することができる線状光源、光学センサユニット及び自動取引装置を提案しようとするものである。
【課題を解決するための手段】
【００１０】
かかる課題を解決するため本発明の線状光源においては、平板状の取付部を有する基板と、基板の取付部に取り付けられ、紫外光を発光する紫外光発光素子と、基板の取付部に取り付けられ、可視光又は赤外光を発光する１個以上の赤外可視光発光素子と、紫外光と、可視光又は赤外光とを導光して線状に出射させる導光体と、１個以上の赤外可視光発光素子を覆う第１樹脂と、紫外光発光素子を覆う第２樹脂と、第１樹脂及び第２樹脂を分離させる分離部とを設けるようにした。
【００１１】
また本発明の光学センサユニットにおいては、前述の線状光源と、線状光源から所定の媒体に照射された光を受光して撮像する受光部とを設けるようにした。
【００１２】
さらに本発明の自動取引装置においては、使用者との間で媒体を受け渡す入出部と、入出部により使用者から受け取った媒体を、前述の光学センサユニットにより撮像して画像を生成し、該画像を用いて媒体を鑑別する鑑別部とを設けるようにした。
【００１３】
本発明は、第１樹脂及び第２樹脂が分離部により分離されているため、紫外光発光素子から出射された紫外光の一部が第２樹脂の内部を進行したとしても、該第２樹脂又は第１樹脂の内部から赤外可視光発光素子に該紫外光が到達することを阻止できる。これにより、紫外光のみを発光させたい場合に、不要な可視光又は赤外光が励起により発光されることを抑制できる。
【発明の効果】
【００１４】
本発明によれば、簡易な構成により所望の光を照射することができる線状光源、光学センサユニット及び自動取引装置を実現できる。
【図面の簡単な説明】
【００１５】
【図１】自動取引装置の構成を示す略線的ブロック図である。
【図２】鑑別部の構成を示す略線図である。
【図３】光学センサユニットの構成を示す略線図である。
【図４】光学センサユニットの構成を示す略線的断面図である。
【図５】第１の実施の形態による発光素子モジュールの構成を示す略線的斜視図である。
【図６】第１の実施の形態による発光素子モジュールの構成を示す略線的斜視図である。
【図７】第１の実施の形態における発光素子の封止を示す略線図である。
【図８】第１の実施の形態における発光素子の封止を示す略線的断面図である。
【図９】仮想的な発光素子モジュールにおける発光素子の封止を示す略線的断面図である。
【図１０】第２の実施の形態における発光素子の封止を示す略線図である。
【図１１】第３の実施の形態による発光素子モジュールの構成を示す略線的斜視図である。
【図１２】第３の実施の形態による発光素子取付領域の構成を示す略線的斜視図である。
【図１３】発光素子取付領域及びリフレクタの構成を示す略線的断面図である。
【図１４】リフレクタの構成を示す略線的断面図である。
【図１５】第３の実施の形態による凹形状アレイ部の構成を示す略線図である。
【図１６】第４の実施の形態による凹形状アレイ部の構成を示す略線図である。
【図１７】第５の実施の形態による凹形状アレイ部の構成を示す略線図である。
【図１８】他の実施の形態における発光素子の封止を示す略線図である。
【図１９】他の実施の形態における発光素子の封止を示す略線的断面図である。
【発明を実施するための形態】
【００１６】
以下、発明を実施するための形態（以下実施の形態とする）について、図面を用いて説明する。
【００１７】
［１．第１の実施の形態］
［１−１．自動取引装置及び紙幣取扱部の構成］
図１に模式的なブロック図を示すように、第１の実施の形態による自動取引装置１は、全体を統括的に制御する制御装置２に対し、電源部３、表示操作部４、紙幣取扱部５、硬貨取扱部６、カード取扱部７及び明細票取扱部８がそれぞれ接続された構成となっている。この自動取引装置１は、例えば金融機関の支店や商業施設等に設置されており、使用者（すなわち金融機関や商業施設の顧客）との間で、入金取引や出金取引等のような現金に関する種々の取引を行う。
【００１８】
制御装置２は、図示しないＣＰＵ（Central Processing Unit）を中心に構成されており、図示しないＲＯＭやフラッシュメモリ等から所定のプログラムを読み出して実行することにより、入金処理や出金処理等の種々の処理を行う。また制御装置２は、内部にＲＡＭ（Random Access Memory）、ハードディスクドライブやフラッシュメモリ等でなる記憶部（図示せず）を有しており、この記憶部に種々の情報を記憶させる。
【００１９】
電源部３は、図示しない商用電源に接続されており、制御装置２や紙幣取扱部５等の各部に所定の電源を供給する。表示操作部４は、例えばタッチパネルや操作ボタン（図示せず）等により構成されており、使用者に向けて所定の表示画面を表示する他、該使用者からの操作入力を受け付ける。
【００２０】
紙幣取扱部５は、使用者との間で取引される現金のうち、長方形に形成された紙葉状の媒体である紙幣を取り扱う。紙幣は、表面及び裏面にそれぞれ特有の絵柄が印刷されており、また透かし等の加工が施されている。この紙幣取扱部５は、全体を制御する紙幣制御部１１や、使用者との間で紙幣を受け渡す入出部としての入出金部１２、紙幣を鑑別する鑑別部１３、及び紙幣を収納する紙幣収納庫１４等を有している。
【００２１】
具体的に紙幣取扱部５は、例えば入金取引において入出金部１２を介して使用者から紙幣を受け取ると、この紙幣を１枚ずつに分離して搬送し、鑑別部１３により金種や真偽、或いは走行状態等を鑑別し、金種ごとに紙幣収納庫１４に収納する。また紙幣取扱部５は、例えば出金取引において使用者から出金額が指定されると、この出金額に応じた金種及び枚数の紙幣を紙幣収納庫１４から順次繰り出して搬送し、鑑別部１３により各紙幣の金種や搬送状態等を鑑別し、入出金部１２内で集積した上で使用者に引き渡す。
【００２２】
硬貨取扱部６は、使用者との間で取引される現金のうち、扁平な円板状に形成された金属の媒体である硬貨を取り扱う。カード取扱部７は、例えば使用者からキャッシュカードを受け取り、記録されている磁気情報を読み取ることにより該使用者の口座番号等を読み取る。明細票取扱部８は、使用者との間で取引が行われると、所定の用紙に取引の日時や内容等を印刷することにより明細票を発行し、これを使用者に受け取らせる。
【００２３】
［１−２．鑑別部の構成］
鑑別部１３は、図２に模式的な側面図を示すように、中空の直方体状に形成された筐体２０の内部に、全体を制御する鑑別制御部２１が設けられており、また紙幣を搬送すると共に鑑別するための複数の部品が設けられている。鑑別制御部２１は、紙幣制御部１１（図１）と同様、図示しないＣＰＵを中心に構成されており、図示しないＲＯＭやフラッシュメモリ等から所定のプログラムを読み出して実行することにより、画像生成処理や鑑別処理等の種々の処理を行う。また鑑別制御部２１は、内部にＲＡＭやフラッシュメモリ等でなる記憶部（図示せず）を有しており、この記憶部に種々の情報を記憶させる他、鑑別処理に必要な情報を予め記憶している。
【００２４】
筐体２０の内部における上下方向の中央付近には、それぞれ上下方向に薄い板状に形成された上搬送ガイド２２Ｕ及び下搬送ガイド２２Ｌが、上下方向に所定の間隔を隔てて配置されている。上搬送ガイド２２Ｕ及び下搬送ガイド２２Ｌの間は、紙幣ＢＬが搬送される経路である搬送路Ｗとなっている。また筐体２０内には、搬送路Ｗに沿って、前後方向に離散的な複数の箇所に搬送ローラ対２３がそれぞれ設けられ、さらに搬送ローラ対２３同士の間やその前後に、磁気センサ部２４、光学センサ部２６及び厚みセンサ部２８がそれぞれ設けられている。
【００２５】
搬送ローラ対２３は、搬送路Ｗの上側及び下側にそれぞれ搬送ローラが設けられており、そのうち一方（例えば下側）の搬送ローラに所定のモータ（図示せず）から駆動力が伝達され、他方の搬送ローラが下方へ押し付けられている。この各搬送ローラ対２３は、モータ（図示せず）から駆動力が伝達されて回転すると、紙幣ＢＬを搬送ローラ同士の間に挟持して駆動力を伝達することにより、搬送路Ｗに沿って前方向又は後方向へ搬送することができる。
【００２６】
磁気センサ部２４は、搬送路Ｗの上側に配置された磁気ヘッド２５Ａと、該搬送路Ｗの下側に配置された押付ローラ２５Ｂとにより構成されている。この磁気センサ部２４は、搬送路Ｗに沿って搬送されてくる紙幣ＢＬを押付ローラ２５Ｂにより磁気ヘッド２５Ａへ押し付け、該磁気ヘッド２５Ａにより紙幣ＢＬから磁気を検出し、得られた検出結果を鑑別制御部２１へ送信する。
【００２７】
光学センサ部２６は、搬送路Ｗの上側に配置された上光学センサユニット２７Ｕと該搬送路Ｗの下側に配置された下光学センサユニット２７Ｌとにより構成されている。説明の都合上、以下では上光学センサユニット２７Ｕ及び下光学センサユニット２７Ｌをまとめて光学センサユニット２７とも呼ぶ。また下光学センサユニット２７Ｌは、上光学センサユニット２７Ｕを上下に反転させた構成となっている。このため以下では、主に上光学センサユニット２７Ｕについて説明する。
【００２８】
光学センサユニット２７は、大きく分けて、左右方向に沿った線状の光を搬送路Ｗへ向けて発光する発光部と、左右方向に沿った線状の撮像範囲において該搬送路Ｗから進行してくる光を受光して撮像する受光部とにより構成されている（詳しくは後述する）。光学センサ部２６の各光学センサユニット２７は、搬送路Ｗに沿って搬送されてくる紙幣ＢＬの上面及び下面に対して、それぞれ線状の光を照射しながら線状の撮像範囲を撮像し、得られた線状の画像を鑑別制御部２１へ供給する動作を繰り返す。これに応じて鑑別制御部２１では、順次得られる線状の画像を順次連結させることにより、紙幣ＢＬの両紙面をそれぞれ表す画像を生成し、これを金種や真偽等の鑑別処理に用いる。
【００２９】
また紙幣ＢＬは、偽造対策等の目的により、所定部分に特殊な蛍光インクが用いられている。この蛍光インクは、紫外光が照射されると蛍光を発光する性質を有する。このため光学センサユニット２７は、紙幣ＢＬに可視光を照射して線状の画像を生成すると共に、該紙幣ＢＬに紫外光を照射して線状の蛍光画像を生成し、それぞれを鑑別制御部２１へ供給して画像を生成させるようになっている。
【００３０】
厚みセンサ部２８は、搬送路Ｗの上側に配置された変位ユニット２９Ａと、該搬送路Ｗの下側に配置された基準ローラ２９Ｂとにより構成されている。変位ユニット２９Ａは、回転するローラが組み込まれ、上下方向へ変位し得るように構成されると共に下方向へ付勢されており、さらに該ローラ等における上下方向の変位量を検出し得るようになっている。一方、基準ローラ２９Ｂは、上下方向の位置が固定されており、自在に回転するようになっている。この厚みセンサ部２８は、紙幣ＢＬが搬送されてくると、各ローラを適宜回転させながらその間に該紙幣ＢＬを挟持し、該紙幣ＢＬの厚みに応じて変位ユニット２９Ａを上下方向へ変位させると共にその変位量を検出して、得られた検出結果を鑑別制御部２１へ供給する。
【００３１】
鑑別制御部２１は、磁気センサ部２４、光学センサ部２６及び厚みセンサ部２８からそれぞれ得られた検出結果や画像等を基に所定の鑑別処理を行うことにより、紙幣ＢＬの金種、真偽、搬送状態（２枚以上が重なっているか否か等）及び損傷の程度等を鑑別し、これを紙幣制御部１１（図１）へ送信する。これに応じて紙幣制御部１１は、制御装置２（図１）と適宜連携しながら、各種取引処理を実行するようになっている。
【００３２】
［１−３．光学センサユニットの構成］
次に、上側の上光学センサユニット２７Ｕ（図２）を例として、光学センサユニット２７の構成について説明する。光学センサユニット２７は、下側から見上げた模式的な平面図を図３に示すと共に、模式的な断面図を図４に示すように、周囲を囲む筐体３１の内部に発光部３２が設けられ、さらにこの発光部３２に周囲を囲まれるようにして受光部３３が設けられている。
【００３３】
因みに上搬送ガイド２２Ｕ（図４）には、上光学センサユニット２７Ｕの真下となる箇所に、ガラス板２２ＵＧが嵌め込まれており、光を透過させると共に紙幣ＢＬを搬送路Ｗに沿って案内するようになっている。これと同様に下搬送ガイド２２Ｌには、下光学センサユニット２７Ｌの真上となる箇所に、ガラス板２２ＵＬが嵌め込まれている。
【００３４】
発光部３２（図３）は、右側及び左側にそれぞれホルダ４１が配置されており、また各ホルダ４１の左右両外側に、カバー板４２、ＦＰＣ（Flexible Printed Circuits）４３及びベース板４４がそれぞれ順次重なるように配置されている。このうち各ＦＰＣ４３の内側面には、前後に１箇所ずつ設けられた発光素子取付領域４３Ａに、それぞれ複数の発光素子が取り付けられている（詳しくは後述する）。また説明の都合上、以下では、カバー板４２、ＦＰＣ４３及びベース板４４をまとめて発光素子モジュール４５と呼ぶ。
【００３５】
左右のホルダ４１の間には、比較的前側及び比較的後側であって、左右それぞれのＦＰＣ４３における各発光素子取付領域４３Ａに挟まれた位置に、導光体４６がそれぞれ配置されている。この導光体４６は、光の透過率が比較的高い材料によって構成されており、その断面が楕円形状に形成されている（図４）。
【００３６】
さらに前側の導光体４６は、外形を表す楕円における長軸の延長線を後ろ斜め下方向に向けており、搬送路Ｗ上において照射箇所Ｐを通過するように、その取付位置や取付角度が調整されている。後側の導光体４６は、前側の導光体４６と前後対称となるように、その取付位置や取付角度が調整されている。因みに照射箇所Ｐは、上搬送ガイド２２Ｕ及び下搬送ガイド２２Ｌのほぼ中間であって、且つ前側の導光体４６及び後側の導光体４６のほぼ中間に位置しており、左右方向に細長い線状の部分となっている。
【００３７】
この導光体４６は、例えば左側のＦＰＣ４３（図３）に取り付けられた発光素子（詳しくは後述する）から右方向へ向けて出射された光が入射されると、この光の一部分を斜め下方向にある照射箇所Ｐ（図４）へ向けて出射させ、残りの部分を右方向へ進行させる。また導光体４６は、左側のＦＰＣ４３（図３）に取り付けられた発光素子から左方向へ向けて出射された光についても、同様に左方向へ進行させながら、その一部を照射箇所Ｐへ向けて出射させる。
【００３８】
また導光体４６は、光学設計が適切になされており、左右それぞれの発光素子から入射された光を、左右方向の全範囲に渡ってほぼ一様な光量となるように導光し、照射箇所Ｐへ照射することができる。このため発光部３２は、左右方向に細長い照射箇所Ｐに対して、前斜め上側及び後斜め上側から、左右方向にほぼ一様な光量でなる線状の光をそれぞれ照射することができる。説明の都合上、以下では発光部３２を線状光源とも呼ぶ。
【００３９】
一方、受光部３３（図３）は、左右方向に関して各ホルダ４１の間であり、且つ前後方向に関して各導光体４６の間となる箇所に位置しており、受光基板４８と、ロッドレンズアレイ４９とにより構成されている。因みに光学センサユニット２７では、左右のホルダ４１により、２本の導光体４６、受光基板４８及びロッドレンズアレイ４９における左右の両端近傍をそれぞれ支持し、それぞれの位置を固定している。
【００４０】
受光基板４８（図４）の下面には、ロッドレンズアレイ４９の真上となる箇所に、左右方向に細長い受光センサ４８Ｓが取り付けられている。ロッドレンズアレイ４９は、照射箇所Ｐの真上に位置しており、その内部において、光軸を上下方向に沿わせた微小なレンズが左右方向に沿って複数整列されている。このためロッドレンズアレイ４９は、該照射箇所Ｐから上方向へ進行してくる光を集光して、受光センサ４８Ｓに照射することができる。これにより受光部３３は、照射箇所Ｐから得られる光に応じた、線状の画像を生成することができる。
【００４１】
［１−４．発光素子モジュールの構成］
次に、発光素子モジュール４５の構成について説明する。因みに光学センサユニット２７には、左右に１組ずつ設けられた発光素子モジュール４５が、互いに左右対称に構成されている。このため以下では、右方向へ向けて光を出射させる左側の発光素子モジュール４５を例に説明する。
【００４２】
図５及び図６に斜視図を示すように、発光素子モジュール４５は、右側から左側へ向けてカバー板４２、ＦＰＣ４３及びベース板４４が順次重ねられた構成となっている。ＦＰＣ４３は、左右方向に薄い平板状ないしフィルム状の配線基板であり、下端近傍が前後方向に長く、これ以外の部分が前後方向に短く形成されており、左右方向から見て英文字の「Ｔ」を上下に反転させたような形状となっている。また上述したように、ＦＰＣ４３のうち下寄りの部分、すなわち前後方向に長い部分の右側面には、前側及び後側の２箇所に、概ね円形の領域である発光素子取付領域４３Ａがそれぞれ設けられている。因みにＦＰＣ４３の上端近傍には、金属部分が露出された複数の端子が形成されており、鑑別制御部２１（図２）と電気的に接続されるようになっている。
【００４３】
カバー板４２は、左右方向に薄い板状の部材であり、ＦＰＣ４３の右側面のうち上端近傍及び２箇所の発光素子取付領域４３Ａを除いた部分を覆っている。このためカバー板４２には、２箇所の発光素子取付領域４３Ａとそれぞれ対応する２箇所に、ほぼ円形の孔部４２Ｈがそれぞれ穿設されている。
【００４４】
ベース板４４は、カバー板４２よりも厚い、すなわち左右方向に長い板状の部材であり、ＦＰＣ４３の左側面のうち下寄りの前後方向に長い部分、すなわち２箇所の発光素子取付領域４３Ａの左側を含む部分を覆っている。このベース板４４は、例えばアルミニウム等の金属材料によって構成されており、ＦＰＣ４３の形状を維持すると共に、後述する発光素子において発生する熱を周囲の空気中へ放熱し得るようになっている。
【００４５】
取付部としての各発光素子取付領域４３Ａには、何れもＬＥＤ（Light Emitting Diode）でなる青色発光素子５１、緑色発光素子５２及び赤色発光素子５３（これらをまとめて可視光発光素子群５４と呼ぶ）と、紫外光発光素子５６とがそれぞれ取り付けられている。可視光発光素子群５４の各発光素子並びに紫外光発光素子５６は、それぞれの光軸を右方向に向けた状態でＦＰＣ４３の右側面に取り付けられると共に、図７及び図８に示すように、ボンディングワイヤ５８により該ＦＰＣ４３の電極パッドと電気的に接続されている。また発光素子取付領域４３Ａでは、図７に示したように、可視光発光素子群５４の各発光素子が互いに近接するように配置されているのに対し、紫外光発光素子５６がこの可視光発光素子群５４からやや離れた箇所に配置されている。
【００４６】
因みに青色発光素子５１は、例えばＧａＮやＡｌＩｎＧａＮ、或いはＩｎＧａＮ等の化合物を有する半導体であり、波長が約４５０〜４７０［ｎｍ］である青色の光を発光する。緑色発光素子５２は、例えばＧａＮやＡｌＩｎＧａＮ、或いはＩｎＧａＮ等の化合物を有する半導体であり、波長が約５２０〜５５０［ｎｍ］である緑色の光を発光する。赤色発光素子５３は、例えばＡｌＩｎＧａＰ系やＧａＡｓ系の化合物を有する半導体であり、波長が約６２５〜６６０［ｎｍ］である赤色の光を発光する。また紫外光発光素子５６は、例えばＧａＮやＡｌＩｎＧａＮ、或いはＩｎＧａＮ等の化合物を有する半導体であり、波長が約３７０〜３８０［ｎｍ］である紫外光を発光する。
【００４７】
さらに各発光素子取付領域４３Ａには、可視光発光素子群５４と紫外光発光素子５６の間に、直方体状の障壁体６５が設けられている。障壁体６５は、例えばシリコンによって構成されており、可視光発光素子群５４及び紫外光発光素子５６を結ぶ方向である前後方向に比較的短く、これと直交する上下方向に沿って比較的長く形成されている。換言すれば、障壁体６５は、ＦＰＣ４３の表面上において上下方向に沿って細長い直線状に形成されている。また障壁体６５は、ＦＰＣ４３の表面からの高さ、すなわち左右方向の長さが、各発光素子よりも十分に長くなっている。
【００４８】
そのうえ発光素子取付領域４３Ａでは、可視光発光素子群５４及び紫外光発光素子５６が、ボンディングワイヤ５８と共に、第１樹脂６１及び第２樹脂６２によりそれぞれ封止されている。第１樹脂６１及び第２樹脂６２は、例えば熱硬化性の樹脂であり、また可視光、赤外光及び紫外光の何れについても、比較的高い透過率で透過させる性質を有している。この第１樹脂６１及び第２樹脂６２は、障壁体６５の両側にそれぞれ位置する可視光発光素子群５４及び紫外光発光素子５６をそれぞれ封止しており、該障壁体６５により互いに分離された状態となっている。そこで以下では、障壁体６５を樹脂分離部とも呼ぶ。
【００４９】
ところで発光素子モジュール４５は、その製造過程において、ＦＰＣ４３に対してカバー板４２及びベース板４４がそれぞれ取り付けられた後、ダイスボンダ等により、ＦＰＣ４３の各発光素子取付領域４３Ａに可視光発光素子群５４の各発光素子及び紫外光発光素子５６が実装され、さらに障壁体６５が実装される。また発光素子モジュール４５は、ＦＰＣ４３に適宜設けられた配線パッドと、各発光素子の表面に形成された配線パッドとの間がボンディングワイヤ５８によりそれぞれ接続される。
【００５０】
次に発光素子モジュール４５は、ＦＰＣ４３の可視光発光素子群５４等を上方に向けた姿勢で、所定の塗布装置により、液状の第１樹脂６１が可視光発光素子群５４の各発光素子を覆うように塗布されると共に、液状の第２樹脂６２が紫外光発光素子５６を覆うように塗布される。このとき第１樹脂６１及び第２樹脂６２は、液状であり流動性を有するため、より低いほうへ流れようとして、障壁体６５によりそれぞれ堰き止められた状態となり、さらにそれぞれの粘性やチクソ性、或いは表面張力の作用等により均衡した形状を維持する。続いて発光素子モジュール４５は、例えば真空ベーク炉等が用いられることにより、該第１樹脂６１及び第２樹脂６２を脱泡しながら硬化させる。
【００５１】
かくして発光素子モジュール４５は、互いに分離された第１樹脂６１及び第２樹脂６２により、可視光発光素子群５４及び紫外光発光素子５６をそれぞれ封止した状態となる。このようにして形成された第１樹脂６１及び第２樹脂６２は、図７及び図８に示したように、空気との境界面が曲面となっているため、可視光発光素子群５４から出射される可視光及び紫外光発光素子５６から出射される紫外光に対して、レンズとしても機能することができる。
【００５２】
［１−５．動作及び効果］
以上の構成において、第１の実施の形態による発光素子モジュール４５（図５及び図６）では、発光素子取付領域４３Ａにおいて、可視光発光素子群５４及び紫外光発光素子５６の間に障壁体６５を設け、それぞれを第１樹脂６１及び第２樹脂６２により別々に封止した（図７及び図８）。
【００５３】
ここで、第１の実施の形態による発光素子モジュール４５との比較用に、図７と対応する図９に示すような、仮想的な発光素子モジュール１４５を想定する。この発光素子モジュール１４５は、発光素子モジュール４５（図７）と比較して、可視光発光素子群５４及び紫外光発光素子５６が何れも樹脂１６３によりまとめて封止されている点において相違しており、他の点については同様に構成されている。この樹脂１６３は、第１樹脂６１及び第２樹脂６２（図７）と同様、可視光、赤外光及び紫外光の何れについても、光の透過率が比較的高くなっている。
【００５４】
紫外光発光素子５６は、出射する紫外光のうち、大部分を光軸ＸＵＶに沿った方向へ進行させるものの、一部を他の方向へ拡散させるように進行させる。仮想的な発光素子モジュール１４５（図９）では、紫外光発光素子５６から出射された紫外光の一部が、ＦＰＣ４３の表面とほぼ平行に進行して可視光発光素子群５４へ向かう（以下これを１次紫外光ＵＶ１と呼ぶ）。また仮想的な発光素子モジュール１４５では、紫外光発光素子５６から出射された紫外光の一部が、樹脂１６３と空気との境界面において反射され、可視光発光素子群５４へ向かう（以下これを２次紫外光ＵＶ２と呼ぶ）。
【００５５】
この仮想的な発光素子モジュール１４５では、樹脂１６３の内部に紫外光を吸収又は遮断する物体が設けられていないため、１次紫外光ＵＶ１及び２次紫外光ＵＶ２を可視光発光素子群５４の各発光素子（すなわちＬＥＤ）に入射させることになる。そうすると仮想的な発光素子モジュール１４５では、可視光発光素子群５４の各発光素子がこれらの紫外光により励起され、励起光を発光してしまう。
【００５６】
ここで、自動取引装置１の紙幣取扱部５（図１）では、上述したように、鑑別部１３の光学センサ部２６（図２）により、可視光により紙幣を撮像した通常画像と、紫外光により紙幣を撮像した蛍光画像とをそれぞれ生成した上で、該紙幣の鑑別処理を行う。このため光学センサ部２６は、仮想的な発光素子モジュール１４５（図９）が組み込まれた場合、蛍光画像の生成時に可視光発光素子群５４の各発光素子が紫外光により励起されると、各発光素子において励起光（すなわち可視光）を発光し、導光体４６から紙幣に照射してしまう。このときこの光学センサ部２６では、紙幣の蛍光インクが印刷された部分から蛍光の反射光を受光することに加えて、通常インクが印刷された部分から可視光の反射光を受光するため、生成する蛍光画像においてコントラストの低下を招いてしまう。この結果、この光学センサ部２６が組み込まれた鑑別部１３では、紙幣の鑑別精度を低下させる恐れがある。
【００５７】
これに対し、本実施の形態による発光素子モジュール４５（図７及び図８）では、障壁体６５を設けたため、該紫外光発光素子５６から出射された紫外光の一部が１次紫外光ＵＶ１（図９）として可視光発光素子群５４へ向かったとしても、これを障壁体６５により吸収又は遮断できる。また発光素子モジュール４５では、可視光発光素子群５４を覆う第１樹脂６１と紫外光発光素子５６を覆う第２樹脂６２とを障壁体６５により分離しているため、原理的に２次紫外光ＵＶ２が発生しない。
【００５８】
これにより発光素子モジュール４５では、紫外光発光素子５６から可視光発光素子群５４に到達する紫外光を大幅に削減でき、発生する励起光の光量も格段に減少させることができる。この結果、発光素子モジュール４５が組み込まれた光学センサ部２６では、蛍光画像の撮像時に可視光発光素子群５４から発生する励起光（可視光）を、実用上問題の無い程度にまで削減でき、蛍光画像におけるコントラストの低下を抑制できる。すなわち、この光学センサ部２６が組み込まれた鑑別部１３では、高い精度で紙幣を鑑別することができる。これに伴い、この鑑別部１３が組み込まれた紙幣取扱部５を有する自動取引装置１（図１）では、使用者との間で入金取引等の取引処理を円滑に進めることができる。
【００５９】
これを他の観点から見ると、一般に、発光素子モジュール４５のようにＦＰＣ４３等の基板上にＬＥＤ等の発光素子を実装すると共にボンディングワイヤ５８により電気的な接続を行った場合、該ボンディングワイヤの保護等を目的として、光の透過率が高い樹脂により封止することが多い。上述した仮想的な発光素子モジュール１４５（図９）においても、樹脂１６３により各発光素子及びボンディングワイヤ５８がまとめて封止されている。このため、この仮想的な発光素子モジュール１４５を製造する場合、樹脂１６３の塗布並びに脱泡及び硬化を行うための装置が必要となる。
【００６０】
このことを踏まえると、本実施の形態による発光素子モジュール４５（図５〜図８）を製造する場合、仮想的な発光素子モジュール１４５を製造する場合に樹脂１６３の塗布等を行う装置を利用して、第１樹脂６１及び第２樹脂６２の塗布等も行うことができる。このため発光素子モジュール４５は、仮想的な発光素子モジュール１４５を製造する場合と比較して、同様の装置を用いて工程数を僅かに増加させるだけで済むため、製造コストを殆ど増加させることが無い。
【００６１】
また発光素子モジュール４５では、可視光発光素子群５４の各発光素子（青色発光素子５１、緑色発光素子５２及び赤色発光素子５３）を第１樹脂６１によりまとめて封止している（図７及び図８）。このため発光素子モジュール４５では、各発光素子を個別に封止する場合と比較して、製造時の工数を抑えることができ、さらには各発光素子の間隔を広げる必要が無いため小型化を図ることができる。
【００６２】
さらに発光素子モジュール４５では、障壁体６５を各発光素子よりも十分に高い構成、すなわち左右方向に十分に長い構成とした（図８）。このため発光素子モジュール４５では、液状の（すなわち硬化前の）第１樹脂６１及び第２樹脂６２が適量に塗布された場合に、障壁体６５により両者をそれぞれ堰き止めて確実に分離した状態を維持できる。これに伴い発光素子モジュール４５では、障壁体６５を設けずに液状の第１樹脂６１及び第２樹脂６２を分離する場合と比較して、可視光発光素子群５４及び紫外光発光素子５６の間隔を狭めることができ、小型化に寄与できる。
【００６３】
また他の観点から見ると、発光素子モジュール４５では、一様な平面状に形成されたＦＰＣ４３の発光素子取付領域４３Ａ（図６）に対して、可視光発光素子群５４及び紫外光発光素子５６を実装し、さらに障壁体６５を取り付けるようにした。このため発光素子モジュール４５では、特許文献１のように基板に段差を形成する場合と比較して、基板（すなわちＦＰＣ４３）を単純な工程で製造でき、配線も容易に敷設でき、基板の歪み等を引き起こす恐れも無いため、容易に且つ低コストで製造できる。
【００６４】
以上の構成によれば、第１の実施の形態による自動取引装置１の紙幣取扱部５に組み込まれる鑑別部１３の各光学センサユニット２７は、発光部３２の発光素子モジュール４５において、平面状の発光素子取付領域４３Ａに可視光発光素子群５４及び紫外光発光素子５６をそれぞれ実装した。その上で発光素子モジュール４５は、可視光発光素子群５４及び紫外光発光素子５６の間に障壁体６５を設け、それぞれを封止する第１樹脂６１及び第２樹脂６２をこの障壁体６５により分離した。このため発光素子モジュール４５が組み込まれた光学センサユニット２７は、紫外光発光素子５６から可視光発光素子群５４へ向かう紫外光の大部分を障壁体６５によって遮断若しくは吸収でき、励起光の発光を抑制して蛍光画像の品質を高めることができる。
【００６５】
［２．第２の実施の形態］
第２の実施の形態による自動取引装置２０１（図１）は、第１の実施の形態による自動取引装置１と比較して、紙幣取扱部５に代わる紙幣取扱部２０５を有する点において相違するものの、他の点については同様に構成されている。紙幣取扱部２０５は、第１の実施の形態による紙幣取扱部５（図１）と比較して、鑑別部１３に代わる鑑別部２１３を有する点において相違するものの、他の点については同様に構成されている。
【００６６】
鑑別部２１３（図２）は、第１の実施の形態による鑑別部１３と比較して、光学センサ部２６に代わる光学センサ部２２６を有する点において相違するものの、他の点については同様に構成されている。光学センサ部２２６は、光学センサ部２６と比較して、光学センサユニット２７（上光学センサユニット２７Ｕ及び下光学センサユニット２７Ｌ）に代わる光学センサユニット２２７（上光学センサユニット２２７Ｕ及び下光学センサユニット２２７Ｌ）を有する点において相違するものの、他の点については同様に構成されている。
【００６７】
光学センサユニット２２７（図３及び図４）は、第１の実施の形態による光学センサユニット２７と比較して、発光素子モジュール４５に代わる発光素子モジュール２４５を有する点において相違するものの、他の点については同様に構成されている。発光素子モジュール２４５は、図８と対応する図１０に示すように、第１の実施の形態による発光素子モジュール４５と比較して、障壁体６５に代えてリフレクタ２６６が設けられている点において相違するものの、他の点については同様に構成されている。
【００６８】
リフレクタ２６６は、例えばシリコンによって構成されており、ＦＰＣ４３の表面（すなわち右側面）に取り付けられている。このリフレクタ２６６は、全体として紫外光発光素子５６よりも一回り大きい直方体状に構成されており、右側（すなわちＦＰＣ４３と反対側）の側面における中央部分に、左方向へ凹んだ凹部２７０が形成されている。換言すれば、リフレクタ２６６は、中空の直方体における一の側面が開放され、この開放された側面をＦＰＣ４３の反対側に向けた姿勢で、該ＦＰＣ４３に取り付けられた形状となっている。
【００６９】
凹部２７０の底面２７１、すなわちＦＰＣ４３の表面と平行な左側の内側面には、紫外光発光素子５６が取り付けられている。また凹部２７０における底面２７１以外の内側面は、該底面２７１側から離れるに連れて紫外光発光素子５６の光軸ＸＵＶから遠ざかるような傾斜面となっている。さらに凹部２７０の内側面には、アルミニウムの薄膜が表面に設けられており、光の反射率が高められている。以下では、凹部２７０の内側面を反射面２７２と呼ぶ。
【００７０】
このように発光素子モジュール２４５では、リフレクタ２６６の凹部２７０内における底面２７１に紫外光発光素子５６を取り付けたため、紫外光発光素子５６から出射される紫外光のうち、光軸ＸＵＶから外れて反射面２７２へ向けて進行した部分を高い割合で反射させることができる。すなわち発光素子モジュール３４５では、第２の実施の形態と同様に、リフレクタ２６６により、紫外光発光素子５６から可視光発光素子群５４へ直接向かう１次紫外光ＵＶ１を遮断できる。
【００７１】
また発光素子モジュール２４５では、リフレクタ２６６における可視光発光素子群５４側の部分により、第１の実施の形態における障壁体６５と同様に、液状の第１樹脂６１及び第２樹脂６２を互いに分離した状態に維持したまま、硬化させることができる。そこでこの実施の形態では、このリフレクタ２６６を分離部とも呼ぶ。
【００７２】
この結果、発光素子モジュール２４５では、第１の実施の形態と同様に、紫外光発光素子５６から出射され可視光発光素子群５４に向かう紫外光の光量を、第１の実施の形態と同様に遮断又は吸収することができる。これに伴い、発光素子モジュール２４５が組み込まれた光学センサ部２２６では、第１の実施の形態と同様に、蛍光画像の撮像時に可視光発光素子群５４から発生する励起光（可視光）を、実用上問題の無い程度まで削減でき、蛍光画像におけるコントラストの低下を抑制できる。
【００７３】
また発光素子モジュール２４５では、蛍光画像の撮像時に、紫外光発光素子５６から出射された紫外光のうち光軸ＸＵＶから外れた部分を、リフレクタ２６６の反射面２７２により反射させ、この光軸ＸＵＶに沿った方向又はこれに近い方向へ進行させることができる。これにより、発光素子モジュール２４５が組み込まれた光学センサユニット２２７（図３及び図４）では、蛍光画像の撮像時に、第１の実施の形態と比較して、導光体４６から照射される紫外光の光量を増加させて、生成される蛍光画像の画質を高めることができる。
【００７４】
さらに発光素子モジュール２４５では、液状の第１樹脂６１及び第２樹脂６２をリフレクタ２６６によって堰き止めることができるので、第１の実施の形態と同様に、可視光発光素子群５４及び該紫外光発光素子５６の間隔を十分に狭めて配置でき、光学センサユニット２２７の小型化を図ることができる。
【００７５】
その他の点においても、第２の実施の形態による発光素子モジュール２４５は、第１の実施の形態による発光素子モジュール４５と同様の作用効果を奏し得る。
【００７６】
以上の構成によれば、第２の実施の形態による発光素子モジュール２４５は、平面状の発光素子取付領域４３Ａに可視光発光素子群５４を実装すると共にリフレクタ２６６を取り付け、該リフレクタ２６６における凹部２７０内に紫外光発光素子５６を実装した。その上で発光素子モジュール２４５は、第１樹脂６１により可視光発光素子群５４を封止すると共に第２樹脂６２により紫外光発光素子５６を封止した。このため発光素子モジュール２４５が組み込まれた光学センサユニット２２７は、紫外光発光素子５６から可視光発光素子群５４へ向かう紫外光をリフレクタ２６６によって大幅に遮断又は吸収でき、励起光の発光を抑制して蛍光画像の品質を高めることができる。
【００７７】
［３．第３の実施の形態］
第３の実施の形態による自動取引装置３０１（図１）は、第１の実施の形態による自動取引装置１と比較して、紙幣取扱部５に代わる紙幣取扱部３０５を有する点において相違するものの、他の点については同様に構成されている。紙幣取扱部３０５は、第１の実施の形態による紙幣取扱部５（図１）と比較して、鑑別部１３に代わる鑑別部３１３を有する点において相違するものの、他の点については同様に構成されている。
【００７８】
鑑別部３１３（図２）は、第１の実施の形態による鑑別部１３と比較して、光学センサ部２６に代わる光学センサ部３２６を有する点において相違するものの、他の点については同様に構成されている。光学センサ部３２６は、光学センサ部２６と比較して、光学センサユニット２７（上光学センサユニット２７Ｕ及び下光学センサユニット２７Ｌ）に代わる光学センサユニット３２７（上光学センサユニット３２７Ｕ及び下光学センサユニット３２７Ｌ）を有する点において相違するものの、他の点については同様に構成されている。
【００７９】
光学センサユニット３２７（図３及び図４）は、図１１に示すように、第１の実施の形態による光学センサユニット２７と比較して、発光素子モジュール４５に代わる発光素子モジュール３４５を有する点において相違するものの、他の点については同様に構成されている。因みに図１１は、発光素子モジュール４５がホルダ４１に取り付けられ、該ホルダに形成された孔部４１Ｈを介して発光素子取付領域４３Ａが露出している状態を表している。また図１１では、作図の都合上、後述する樹脂を省略している。
【００８０】
図１２は、図１１の領域ＡＲ１、すなわち後側の発光素子取付領域４３Ａ近傍を拡大した様子を示している。発光素子モジュール３４５は、第１の実施の形態による発光素子モジュール４５と比較して、発光素子取付領域４３Ａ内にリフレクタ３６６が設けられている点、及び青色発光素子５１、緑色発光素子５２及び赤色発光素子５３が紫外光発光素子５６の周囲に分散配置されている点において相違するものの、他の点については同様に構成されている。
【００８１】
リフレクタ３６６は、図１１におけるＢ１−Ｂ２断面図（すなわち前側の発光素子取付領域４３Ａ近傍の断面図）を図１３に示すと共に、その一部を拡大して図１４に示すように、全体として、第２の実施の形態におけるリフレクタ２６６（図１０）と類似した形状に構成されている。すなわちリフレクタ３６６は、例えばシリコンにより構成されており、左右方向に比較的短い直方体の右側（すなわちＦＰＣ４３と反対側）の側面における中央部分に、左方向へ凹んだ凹部３７０が形成されている。
【００８２】
凹部３７０の底面３７１、すなわちＦＰＣ４３の表面と平行な左側の内側面には、第２の実施の形態と同様に、紫外光発光素子５６が取り付けられている。また凹部３７０における底面３７１以外の内側面は、やはり第２の実施の形態と同様に、該底面３７１側から離れるに連れて紫外光発光素子５６の光軸ＸＵＶから遠ざかるような傾斜面となっている（以下これを反射面３７２と呼ぶ）。
【００８３】
すなわちリフレクタ３６６は、底面３７１の全周囲を、該底面３７１の右方向（すなわちＦＰＣ４３の表面から遠ざかる方向）へ突出した、断面が台形状の部分によって包囲されている。以下、この部分を突出包囲部３７３とも呼ぶ。
【００８４】
因みにリフレクタ３６６では、例えば酸化シリコンや窒化シリコンをパターンニングしたエッチングマスクを用いて、公知のＫＯＨを主成分としたエッチャントによる異方性エッチングを行うことにより、凹部３７０及び突出包囲部３７３が形成されている。このリフレクタ３６６では、反射面３７２の｛１１１｝面が底面３７１の（１００）面との間に形成する角度θ１（図１４）が、シリコンの結晶構造に起因した角度である５４．７［°］となっている。
【００８５】
突出包囲部３７３における最も右側に突出した部分、すなわち凹部３７０の周囲を囲む部分であり、該突出包囲部３７３の断面における台形の上底に相当する部分には、ＦＰＣ４３の表面とほぼ平行な突出平面部３７４が形成されている。また突出包囲部３７３のうち下側の外側面には、反射面３７２と反対に傾斜した外傾斜面３７５が形成されており、その下端近傍に、突出平面部３７４とほぼ平行な外部パッド面３７６が形成されている。
【００８６】
またリフレクタ３６６は、その表面に複数の薄膜が積層されており、シリコン基部３８１に対して、絶縁性を有する内部絶縁層３８２、導電性を有する配線層３８３及び絶縁性を有する表面絶縁層３８４が順次重ねられている。このうち配線層３８３は、例えばＡｌやＣｕ等又は他の金属との合金でなり、公知の成膜技術により成膜されている。また配線層３８３は、さらに公知のリフトオフ法やエッチング方により、例えば突出平面部３７４及び外部パッド面３７６を結ぶ等、所定の配線パターンが形成されている。
【００８７】
内部絶縁層３８２及び表面絶縁層３８４は、例えば酸化シリコンや窒化シリコンでなり、公知の成膜技術により生成されている。さらに表面絶縁層３８４は、その一部が適宜省略されて配線層３８３を外部に露出させることにより、電極パッド３７４Ｐや３７６Ｐ等を形成している。
【００８８】
この電極パッド３７４Ｐ及び３７６Ｐは、配線層３８３により互いに接続されている。また電極パッド３７４Ｐは、ボンディングワイヤ５８を介して紫外光発光素子５６と電気的に接続されている。さらに電極パッド３７６Ｐは、ボンディングワイヤ５８を介してＦＰＣ４３の表面に形成された電極パッドと接続されている。すなわちリフレクタ３６６は、配線層３８３に形成された配線パターンにボンディングワイヤ５８が適宜接続されることにより、外部のＦＰＣ４３上の配線パターンと、凹部３７０内に取り付けられた紫外光発光素子５６とを中継して導通させることができる。
【００８９】
さらに突出平面部３７４は、その内周側と外周側とで、表面の状態が相違している。すなわち突出平面部３７４における内周側には、表面が平坦な平坦部３７７が形成されている。一方、突出平面部３７４における外周側の領域には、例えば約１００［μｍ］の幅に渡って、凹形状アレイ部３７８が形成されている。
【００９０】
凹形状領域部としての凹形状アレイ部３７８は、図１５に拡大した平面図及び２つの断面図を示すように、平坦部３９１と、複数の凹角錐３９２とにより構成されている。平坦部３９１は、平坦部３７７（図１４）から連続した平面となっており、各凹角錐３９２を除いた格子状の部分を占めている。
【００９１】
凹角錐３９２は、平坦部３９１に対して左側に、すなわちＦＰＣ４３側に四角錐を形成するように凹んでいる。また各凹角錐３９２は、平坦部３９１が形成する平面上で２次元的に、すなわち上下方向及び前後方向に沿って等間隔に整列された位置であり、正方配列を形成する位置に、それぞれ配置されている。因みに凹角錐３９２は、例えば１辺の長さが約３［μｍ］となっており、また整列の周期が約５［μｍ］となっている。これらの長さは、第２樹脂６２に含まれるフィラーの粒子よりも十分に短くなっている。
【００９２】
また凹角錐３９２は、反射面３７２の場合と同様に、異方性エッチング等の加工処理が施されることにより形成されている。この凹角錐３９２は、内側面が｛１１１｝面となっており、例えばＫＯＨの異方性エッチング処理において、エッチングマスクの開口部を比較的小さくして十分に長い時間をかけてエッチング処理を行うことにより、加工されている。このため、平坦部３９１と平行な面に対する凹角錐３９２の各内側面のなす角度θ２（図１５（Ｂ））は、反射面３７２の場合と同様に５４．７［°］となっている。また凹角錐３９２は、リフレクタ３６６における他の表面部分と同様に、シリコン基部３８１に対して、内部絶縁層３８２、配線層３８３及び表面絶縁層３８４が順次重ねて形成されている。
【００９３】
かかる構成により、発光素子モジュール３４５は、その製造段階において、ＦＰＣ４３にカバー板４２及びベース板４４（図１１）が取り付けられ、リフレクタ３６６が取り付けられると共に各発光素子が実装され、さらにボンディングワイヤ５８が取り付けられる。その上で発光素子モジュール３４５は、リフレクタ３６６の凹部３７０内に、液状の第２樹脂６２が紫外光発光素子５６を封止する目的で塗布される。
【００９４】
このとき発光素子モジュール３４５では、第２樹脂６２が紫外光発光素子５６の近傍からリフレクタ３６６の表面を伝わって外側へ徐々に広がっていき、やがてその最外周部分が突出平面部３７４における内周側の平坦部３７７から凹形状アレイ部３７８に差し掛かる。そうすると第２樹脂６２は、凹形状アレイ部３７８において、粘性や表面張力等と各凹角錐３９２の大きさとの関係により、該凹角錐３９２の内部にまで浸入して来ず、該凹角錐３９２を覆う状態となる。このとき第２樹脂６２は、各凹角錐３９２を覆う箇所において表面張力を作用させ、これに伴って外側へ広がろうとする力が徐々に減少していく。やがて第２樹脂６２は、数列分の凹角錐３９２を覆った段階で、すなわち凹形状アレイ部３７８における最外周部分にまで到達する前に、外側への広がりを停止する。
【００９５】
その後、発光素子モジュール３４５は、液状の第２樹脂６２が凹形状アレイ部３７８においての外側への広がりを抑止された形状、すなわちリフレクタ３６６の突出平面部３７４よりも外方へ溢れ出ない状態のまま、別途塗布された樹脂３６１（図１３）と共に脱泡及び硬化が行われる。この結果、発光素子モジュール３４５では、凹形状アレイ部３７８により、紫外光発光素子５６を封止する第２樹脂６２と、他の発光素子をそれぞれ封止する樹脂３６１とを分離することができる。そこでこの実施の形態では、この凹形状アレイ部３７８を分離部とも呼ぶ。
【００９６】
すなわち発光素子モジュール３４５は、突出平面部３７４に凹形状アレイ部３７８を形成したことにより、第２樹脂６２が該突出平面部３７４よりも外方へ流出することを防止できるため、該凹形状アレイ部３７８を設けない場合よりも、第２樹脂６２が広がる範囲を狭めることができる。これにより発光素子モジュール３４５は、第２樹脂６２と樹脂３６１とを分離させて２次紫外光ＵＶ２（図９）の発生を防止しながら、装置全体の小型化を図ることができる。
【００９７】
またリフレクタ３６６では、シリコンの単結晶に対する異方性エッチング等の加工処理により、反射面３７２等と同時に凹形状アレイ部３７８の各凹角錐３９２を形成できるので、該凹形状アレイ部３７８を形成することによる製造コストの上昇幅を、極めて僅かに抑えることができる。
【００９８】
さらにリフレクタ３６６は、第２の実施の形態と同様に、周囲に塗布される液状の樹脂３６１を堰き止めることもできる。これにより発光素子モジュール３４５では、紫外光発光素子５６と青色発光素子５１等との間隔を十分に狭めることができ、光学センサユニット３２７の小型化を図ることができる。
【００９９】
その他の点においても、第３の実施の形態による発光素子モジュール３４５は、第１の実施の形態による発光素子モジュール４５と同様の作用効果を奏し得る。
【０１００】
以上の構成によれば、第３の実施の形態による発光素子モジュール３４５は、平面状の発光素子取付領域４３Ａに青色発光素子５１等を実装すると共にリフレクタ３６６を取り付け、該リフレクタ３６６における突出平面部３７４の外周側に凹形状アレイ部３７８を設け、凹部３７０内に紫外光発光素子５６を実装した。発光素子モジュール３４５は、紫外光発光素子５６を封止するために塗布される液状の第２樹脂６２の流出を凹形状アレイ部３７８により抑えて、青色発光素子５１等をそれぞれ封止する樹脂３６１から分離させることができる。このため発光素子モジュール３４５が組み込まれた光学センサユニット３２７は、小型の構成により、紫外光発光素子５６から紫外光が樹脂の内部を反射して可視光発光素子群５４に到達することを排除でき、励起光の発光を抑制して蛍光画像の品質を高めることができる。
【０１０１】
［４．第４の実施の形態］
第４の実施の形態による自動取引装置４０１（図１）は、第１の実施の形態による自動取引装置１と比較して、紙幣取扱部５に代わる紙幣取扱部４０５を有する点において相違するものの、他の点については同様に構成されている。紙幣取扱部４０５は、第１の実施の形態による紙幣取扱部５（図１）と比較して、鑑別部１３に代わる鑑別部４１３を有する点において相違するものの、他の点については同様に構成されている。
【０１０２】
鑑別部４１３（図２）は、第１の実施の形態による鑑別部１３と比較して、光学センサ部２６に代わる光学センサ部４２６を有する点において相違するものの、他の点については同様に構成されている。光学センサ部４２６は、光学センサ部２６と比較して、光学センサユニット２７（上光学センサユニット２７Ｕ及び下光学センサユニット２７Ｌ）に代わる光学センサユニット４２７（上光学センサユニット４２７Ｕ及び下光学センサユニット４２７Ｌ）を有する点において相違するものの、他の点については同様に構成されている。
【０１０３】
光学センサユニット４２７（図３及び図４）は、第１の実施の形態による光学センサユニット２７と比較して、発光素子モジュール４５に代わる発光素子モジュール４４５を有する点において相違するものの、他の点については同様に構成されている。発光素子モジュール４４５は、第３の実施の形態による発光素子モジュール３４５（図１１〜図１５）と比較して、リフレクタ３６６における突出平面部３７４の外周側に、凹形状アレイ部３７８に代わる凹形状アレイ部４７８を有する点において相違するものの、他の点については同様に構成されている。
【０１０４】
凹形状アレイ部４７８は、図１５と対応する図１６に示すように、平坦部３９１と対応する平坦部４９１が形成された上で、第３の実施の形態による凹角錐３９２と同様の形状でなる凹角錐４９２が複数形成されているものの、その配列が第３の実施の形態と相違している。
【０１０５】
すなわち凹形状アレイ部４７８では、突出平面部３７４の内周側から外周側に向かって凹角錐４９２を１列ずつ区切り、奇数番目の列（凹角錐列４９３Ａ）と偶数番目の列（凹角錐列４９３Ｂ）とで、凹角錐４９２の位置を互いに半周期分ずらした状態で、すなわちいわゆる千鳥状に、各凹角錐４９２が配置されている。説明の都合上、以下では凹角錐列４９３Ａ及び４９３Ｂを、凹形状列とも呼ぶ。
【０１０６】
これを換言すれば、凹形状アレイ部４７８（図１４）では、リフレクタ３６６内の紫外光発光素子５６を封止するために塗布された第２樹脂６２が該リフレクタ３６６の内側から外側へ流れる方向（下方向）と交差する交差方向（前後方向）に沿って、凹角錐９２が周期的に配置されて複数の凹形状列（凹角錐列４９３Ａ等）を形成している。そのうえで凹形状アレイ部４７８では、複数の凹形状列どうし（凹角錐列４９３Ａ及び４９３Ｂ）の間で、凹角錐４９２どうしが互いに交差方向（前後方向）に半周期分ずれて配置されている。
【０１０７】
このため発光素子モジュール４４５では、例えば液状の第２樹脂６２が、凹角錐列４９３Ａにおいて矢印Ｊ１のように平坦部４９１に沿って外側へ流れてきた場合、この第２樹脂６２を、隣接する凹角錐列４９３Ｂにおいて凹角錐４９２Ｊに直面させ、その流れを抑制することができる。これにより発光素子モジュール４４５の凹形状アレイ部４７８は、第３の実施の形態による凹形状アレイ部３７８（図１５）と比較して、第２樹脂６２の外側への広がりをより確実に抑制できる。
【０１０８】
その他の点においても、第４の実施の形態による発光素子モジュール４４５は、第３の実施の形態による発光素子モジュール３４５と同様の作用効果を奏し得る。
【０１０９】
以上の構成によれば、第４の実施の形態による発光素子モジュール４４５は、平面状の発光素子取付領域４３Ａに青色発光素子５１等を実装すると共にリフレクタ３６６を取り付け、該リフレクタ３６６における突出平面部３７４の外周側に凹形状アレイ部４７８を設け、凹部３７０内に紫外光発光素子５６を実装した。発光素子モジュール４４５は、紫外光発光素子５６を封止するために塗布される液状の第２樹脂６２の流出を凹形状アレイ部４７８により抑えて、青色発光素子５１等をそれぞれ封止する樹脂３６１から分離させることができる。このため発光素子モジュール４４５が組み込まれた光学センサユニット４２７は、小型の構成により、紫外光発光素子５６から紫外光が樹脂の内部を反射して可視光発光素子群５４に到達することを排除でき、励起光の発光を抑制して蛍光画像の品質を高めることができる。
【０１１０】
［５．第５の実施の形態］
第５の実施の形態による自動取引装置５０１（図１）は、第１の実施の形態による自動取引装置１と比較して、紙幣取扱部５に代わる紙幣取扱部５０５を有する点において相違するものの、他の点については同様に構成されている。紙幣取扱部５０５は、第１の実施の形態による紙幣取扱部５（図１）と比較して、鑑別部１３に代わる鑑別部５１３を有する点において相違するものの、他の点については同様に構成されている。
【０１１１】
鑑別部５１３（図２）は、第１の実施の形態による鑑別部１３と比較して、光学センサ部２６に代わる光学センサ部５２６を有する点において相違するものの、他の点については同様に構成されている。光学センサ部５２６は、光学センサ部２６と比較して、光学センサユニット２７（上光学センサユニット２７Ｕ及び下光学センサユニット２７Ｌ）に代わる光学センサユニット５２７（上光学センサユニット５２７Ｕ及び下光学センサユニット５２７Ｌ）を有する点において相違するものの、他の点については同様に構成されている。
【０１１２】
光学センサユニット５２７（図３及び図４）は、第１の実施の形態による光学センサユニット２７と比較して、発光素子モジュール４５に代わる発光素子モジュール５４５を有する点において相違するものの、他の点については同様に構成されている。発光素子モジュール５４５は、第３の実施の形態による発光素子モジュール３４５（図１１〜図１５）と比較して、リフレクタ３６６における突出平面部３７４の外周側に、凹形状アレイ部３７８に代わる凹形状アレイ部５７８を有する点において相違するものの、他の点については同様に構成されている。
【０１１３】
凹形状アレイ部５７８は、図１５と対応する図１７に示すように、平坦部３９１と対応する平坦部５９１が形成された上で、第３の実施の形態による凹角錐３９２と同様の形状でなる凹角錐５９２が複数形成されているものの、その内部の構造が第３の実施の形態と相違している。
【０１１４】
すなわち凹角錐５９２が形成された部分では、内部絶縁層３８２、配線層３８３及び表面絶縁層３８４が省略されており、シリコン基部３８１が表面に露出している。一方、平坦部５９１は、第３の実施の形態と同様に、シリコン基部３８１に対して内部絶縁層３８２、配線層３８３及び表面絶縁層３８４が順次積層されている。
【０１１５】
かかる構成により凹形状アレイ部５７８では、平坦部５９１と凹角錐５９２とで、表面に露出している材料が互いに相違しており、それぞれの物性が相違する。これにより凹形状アレイ部５７８では、第３の実施の形態による凹形状アレイ部３７８（図１５）と比較して、液状の第２樹脂６２の流れを抑える効果をより高めることができる。
【０１１６】
その他の点においても、第５の実施の形態による発光素子モジュール５４５は、第３の実施の形態による発光素子モジュール３４５と同様の作用効果を奏し得る。
【０１１７】
以上の構成によれば、第５の実施の形態による発光素子モジュール５４５は、平面状の発光素子取付領域４３Ａに青色発光素子５１等を実装すると共にリフレクタ３６６を取り付け、該リフレクタ３６６における突出平面部３７４の外周側に凹形状アレイ部５７８を設け、凹部３７０内に紫外光発光素子５６を実装した。発光素子モジュール５４５は、紫外光発光素子５６を封止するために塗布される液状の第２樹脂６２の流出を凹形状アレイ部５７８により抑えて、青色発光素子５１等をそれぞれ封止する樹脂３６１から分離させることができる。このため発光素子モジュール５４５が組み込まれた光学センサユニット５２７は、小型の構成により、紫外光発光素子５６から紫外光が樹脂の内部を反射して可視光発光素子群５４に到達することを排除でき、励起光の発光を抑制して蛍光画像の品質を高めることができる。
【０１１８】
［６．他の実施の形態］
なお上述した第１の実施の形態においては、青色発光素子５１、緑色発光素子５２及び赤色発光素子５３により可視光発光素子群５４を構成し、発光する光の波長をそれぞれ約４５０〜４７０［ｎｍ］、約５２０〜５５０［ｎｍ］、及び約６２５〜６６０［ｎｍ］とする場合について述べた。しかしながら本発明はこれに限らず、可視光発光素子群５４を構成する発光素子から他の波長の光（可視光）を発光させるようにしても良い。また可視光以外にも、赤外光（例えば波長が８４０〜９７０［ｎｍ］）を発光させても良い。さらに、可視光発光素子群５４を構成する発光素子の数は２個以下や４個以上であっても良い。第２〜第５の実施の形態についても同様である。
【０１１９】
また上述した第１の実施の形態においては、紫外光発光素子５６から発光する光の波長を約３７０〜３８０［ｎｍ］とする場合について述べた。しかしながら本発明はこれに限らず、例えば約２００〜４００［ｎｍ］の範囲における任意の波長の光を紫外光発光素子５６から発光しても良い。また１箇所の発光素子取付領域４３Ａに設ける紫外光発光素子５６の数については、１個に限らず、２個以上とすることにより所望の光量を得るようにしても良い。さらには、複数の紫外光発光素子５６から互いに異なる波長の紫外光を発光させても良い。第２〜第５の実施の形態についても同様である。
【０１２０】
さらに上述した第１の実施の形態においては、可視光発光素子群５４を構成する全ての発光素子を第１樹脂６１によりまとめて封止する場合について述べた。しかしながら本発明はこれに限らず、第３の実施の形態のように、可視光発光素子群５４を構成する各発光素子を個別に樹脂３６１によって封止しても良い。第２の実施の形態についても同様である。また第３の実施の形態においては、第１及び第２の実施の形態と同様に、可視光発光素子群５４を構成する各発光素子を近接して配置し、これらをまとめて第１樹脂６１により封止しても良い。第４及び第５の実施の形態についても同様である。
【０１２１】
さらに上述した第１の実施の形態においては、第１樹脂６１及び第２樹脂６２を、可視光及び紫外光の透過率が比較的高い樹脂とする場合について述べた。しかしながら本発明はこれに限らず、例えば可視光発光素子群５４を封止する第１樹脂６１を、可視光の透過率よりも紫外光の透過率の方が低い樹脂としても良い。具体的には、例えば第１樹脂６１における光の透過率を、波長が４１０［ｎｍ］以上の可視光若しくは赤外光については８０［％］以上とし、波長が３８０［ｎｍ］以下の紫外光については３０［％］以下とすることができる。これにより、可視光発光素子群５４に対し第１樹脂６１の外部から紫外光が入射することによる励起光の発生をさらに抑制することができる。第２〜第５の実施の形態についても同様である。
【０１２２】
さらに上述した第１の実施の形態においては、第１樹脂６１を熱硬化性とし、真空ベーク炉等を用いて該第１樹脂６１を脱泡及び硬化させる場合について述べた。しかしながら本発明はこれに限らず、例えば第１樹脂６１を熱可塑性とし、加熱して流動性を有する状態で塗布した後、冷却して硬化させる等、種々の手法により硬化させても良い。第２〜第５の実施の形態についても同様である。
【０１２３】
さらに上述した第１の実施の形態においては、障壁体６５（図７及び図８）の形状を、ＦＰＣ４３の表面上において上下方向に沿って細長い直線状とする場合について述べた。しかしながら本発明はこれに限らず、例えば図８と対応する図１８（Ａ）に示す発光素子モジュール６４５のように、障壁体６５に代わる障壁体６６５を、英文字の「Ｌ」のような形状としても良く、或いは図１８（Ｂ）に示す発光素子モジュール７４５のように、障壁体６５に代わる障壁体７６５を、英文字の「Ｃ」のような形状としても良い。要は、障壁体６６５等により、第１樹脂６１及び第２樹脂６２を互いに分離でき、且つ紫外光発光素子５６からの紫外光を遮断できれば良い。
【０１２４】
さらに上述した第１の実施の形態においては、障壁体６５（図７及び図８）をシリコンにより構成する場合について述べた。しかしながら本発明はこれに限らず、障壁体６５を他の種々の材料により構成しても良い。この場合、少なくとも液状の第１樹脂６１及び第２樹脂６２を堰き止めて互いに分離できれば良く、さらに紫外光発光素子５６からの紫外光を遮断できればなお良い。
【０１２５】
さらに上述した第２の実施の形態においては、発光素子取付領域４３Ａ内に１個のリフレクタ２６６を設け、その凹部２７０の底面２７１に紫外光発光素子５６を実装する場合について述べた。しかしながら本発明はこれに限らず、例えば図１０と対応する図１９に示す発光素子モジュール８４５のように、発光素子取付領域４３Ａ内にリフレクタ８６６をさらに設ける等、複数のリフレクタを設け、その凹部内に可視光発光素子群５４の各発光素子を実装しても良い。この場合、１個のリフレクタ８６６を設けてその凹部内に複数の発光素子を実装しても良く、或いは複数のリフレクタ８６６を設けてそれぞれの凹部内に発光素子を１個ずつ実装しても良い。
【０１２６】
さらに上述した第２の実施の形態においては、リフレクタ２６６をシリコンにより構成し、且つ凹部２７０における内側面の表面にアルミニウムの薄膜を設けて反射面２７２を形成する場合について述べた。しかしながら本発明はこれに限らず、リフレクタ２６６を他の種々の材料により構成しても良く、また凹部２７０における内側面の表面に、他の種々の材料による薄膜を設けて反射面２７２を形成しても良い。或いは、リフレクタ２６６の構成材料自体による光の反射率が十分に高い場合等に、薄膜を省略し、その表面を反射面２７２としても良い。第３〜第５の実施の形態についても同様である。
【０１２７】
さらに上述した第３の実施の形態においては、突出平面部３７４における外周側に設ける凹形状アレイ部３７８に、複数の凹角錐３９２を設ける場合について述べた。しかしながら本発明はこれに限らず、例えば円錐状にくり抜かれた形状や、四角柱状にくり抜かれた形状等、種々の凹形状を凹形状アレイ部３７８に設けても良い。また凹形状アレイ部３７８には、同一形状の凹形状のみを配置しても良く、或いは複数種類の凹形状を配置しても良い。第３〜第５の実施の形態についても同様である。
【０１２８】
さらに上述した第４の実施の形態においては、突出平面部３７４の内周側から外周側に向かって凹角錐４９２を１列ずつ区切り、奇数番目の凹角錐列４９３Ａと偶数番目の凹角錐列４９３Ｂとで、凹角錐４９２の位置を互いに半周期分ずらした状態で、各凹角錐４９２を配置する場合について述べた。しかしながら本発明はこれに限らず、例えば突出平面部３７４の内周側から外周側に向かって凹角錐４９２を１列ずつ区切り、凹角錐４９２の位置を順次１／３周期ずつや１／４周期ずつずらした状態で、各凹角錐４９２を配置しても良い。
【０１２９】
さらに上述した第３の実施の形態においては、突出平面部３７４における外周側の全範囲に凹形状アレイ部３７８を形成する場合について述べた（図１２）。しかしながら本発明はこれに限らず、例えば他の発光素子が近傍に配置されていない上側の辺を省略しても良い。また、第１の実施の形態における障壁体６５（図７及び図８）における右側面（ＦＰＣ４３の表面と平行な側面）や前後の各側面に凹形状アレイ部３７８を形成しても良く、或いはＦＰＣ４３の表面に凹形状アレイ部３７８を形成しても良い。要は、液状の第２樹脂６２等の広がりや流出を抑えたい種々の箇所に形成しても良い。第４及び第５の実施の形態についても同様である。
【０１３０】
さらに上述した第３の実施の形態においては、凹形状アレイ部３７８において複数の凹角錐３９２により正方配列を形成するように、すなわち互いに直交する２方向に関して各凹角錐３９２をそれぞれ等間隔に配置する場合について述べた。しかしながら本発明はこれに限らず、例えば一方向に沿って等間隔に配置し、これと直交する方向に関しては不等間隔に配置しても良い。或いは、例えば各凹角錐３９２を各方向に関して不等間隔に、すなわち２次元平面内でランダムに配置しても良い。第４及び第５の実施の形態についても同様である。
【０１３１】
さらに上述した第１の実施の形態においては、本発明を鑑別部１３に組み込まれる光学センサユニット２７の発光部３２（図３）に適用する場合について述べた。しかしながら本発明はこれに限らず、他の種々の機器に組み込まれる発光部に適用しても良い。第２〜第５の実施の形態についても同様である。
【０１３２】
さらに上述した第１の実施の形態においては、使用者との間で入金取引等の各種取引を行う自動取引装置１の鑑別部１３に本発明を適用する場合について述べた。しかしながら本発明はこれに限らず、例えば自動販売機や自動精算機等、紙幣を取り扱う種々の装置に適用しても良い。第２〜第５の実施の形態についても同様である。
【０１３３】
さらに上述した第１の実施の形態においては、媒体としての紙幣を取り扱う自動取引装置１の鑑別部１３に本発明を適用し、紙幣を撮像して通常の画像及び蛍光画像を生成する場合について述べた。しかしながら本発明はこれに限らず、例えば種々の証券や商品券、或いは入場券等、他の種々の媒体を取り扱う種々の装置において、この媒体を撮像して通常の画像及び蛍光画像を生成する種々の装置に適用しても良い。第２〜第５の実施の形態についても同様である。
【０１３４】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１３５】
さらに上述した第１の実施の形態においては、基板としてのＦＰＣ４３と、紫外光発光素子としての紫外光発光素子５６と、赤外可視光発光素子としての可視光発光素子群５４と、導光体としての導光体４６と、第１樹脂としての第１樹脂６１と、第２樹脂としての第２樹脂６２と、分離部としての障壁体６５とによって線状光源としての発光部３２を構成する場合について述べた。しかしながら本発明はこれに限らず、その他種々の構成でなる基板と、紫外光発光素子と、赤外可視光発光素子と、導光体と、第１樹脂と、第２樹脂と、分離部とによって線状光源を構成しても良い。
【産業上の利用可能性】
【０１３６】
本発明は、例えば使用者との間で紙幣に関する取引を行う自動取引装置に設けられる鑑別部において、光学センサユニットに組み込まれる発光部で利用できる。
【符号の説明】
【０１３７】
１、２０１、３０１、４０１、５０１……自動取引装置、５、２０５、３０５、４０５、５０５……紙幣取扱部、１３、２１３、３１３、４１３、５１３……鑑別部、２６、２２６、３２６、４２６、５２６……光学センサ部、２７、２２７、３２７、４２７、５２７……光学センサユニット、２７Ｌ、２２７Ｌ、３２７Ｌ、４２７Ｌ、５２７Ｌ……下光学センサユニット、２７Ｕ、２２７Ｕ、３２７Ｕ、４２７Ｕ、５２７Ｕ……上光学センサユニット、３２……発光部、３３……受光部、４１……ホルダ、４２……カバー板、４３……ＦＰＣ、４３Ａ……発光素子取付領域、４４……ベース板、４５、１４５、２４５、３４５、４４５、５４５……発光素子モジュール、４６……導光体、５１……青色発光素子、５２……緑色発光素子、５３……赤色発光素子、５４……可視光発光素子群、５６……紫外光発光素子、６１……第１樹脂、６２……第２樹脂、６５……障壁体、２６６、３６６……リフレクタ、２７０、３７０……凹部、２７１……底面、２７２、３７２……反射面、３７３……突出包囲部、３７４……突出平面部、３７８、４７８、５７８……凹形状アレイ部、３９１、５９１……平坦部、３９２、４９２、５９２……凹角錐、４９３Ａ、４９３Ｂ……凹角錐列、ＢＬ……紙幣、Ｐ……照射箇所、ＵＶ１……１次紫外光、ＵＶ２……２次紫外光、Ｗ……搬送路。
【図１】
2018156362.tif 000003
【図２】
2018156362.tif 000004
【図３】
2018156362.tif 000005
【図４】
2018156362.tif 000006
【図５】
2018156362.tif 000007
【図６】
2018156362.tif 000008
【図７】
2018156362.tif 000009
【図８】
2018156362.tif 000010
【図９】
2018156362.tif 000011
【図１０】
2018156362.tif 000012
【図１１】
2018156362.tif 000013
【図１２】
2018156362.tif 000014
【図１３】
2018156362.tif 000015
【図１４】
2018156362.tif 000016
【図１５】
2018156362.tif 000017
【図１６】
2018156362.tif 000018
【図１７】
2018156362.tif 000019
【図１８】
2018156362.tif 000020
【図１９】
2018156362.tif 000021